(57)【要約】      （修正有）【課題】ブランコや鉄棒などの折りたたみに役立つ継手構造を提供する。【解決手段】二等辺三角形をなす継手の垂直中心線上に、水平な管棒材１０の受け入れ筒２４を設けると共に、その継手における底辺の両端部を各斜辺と直角に交叉する締付けキャップ用傾斜受け座面として、ここにはヘッドカバー導出口２７ｆ、２７ｒが切り欠かれている。他方、半円形よりも大きな円弧形の回動ヘッド３０と、締付けキャップＦが螺合された一定長さのカバー筒３１とから成るヘッドカバーＣのカバー筒３１を、２本１組の管棒材用支持脚１４ｆ、１４ｒの上端部に套嵌させると共に、そのヘッドカバーの回動ヘッドを管棒材と平行な組立ピン３７によって、継手の中空内部へ一定角度だけ回動できるように枢支してある。【選択図】図７
0003181216.tif 000002
【実用新案登録請求の範囲】
【請求項１】
基本的な二等辺三角形の輪郭形状をなし、その垂直中心線上に水平な管棒材の端部受け入れ筒を有する合成樹脂製継手と、
２本１組の管棒材用支持脚へ上方から各々差し込み套嵌されることになる合成樹脂製ヘッドカバーの一対とを備え、
上記継手における底辺の両端部を一対のフラットな締付けキャップ用傾斜受け座面として、その継手の各斜辺とほぼ直角に交叉させると共に、その両傾斜受け座面に各々ヘッドカバー用導出口を切り欠く一方、
上記ヘッドカバーの各個を、継手の中空内部へ管棒材と平行な組立ピンによって一定角度だけ回動できるように枢支された回動ヘッドと、その回動ヘッドから上記継手側のヘッドカバー用導出口を通じて外部へ導出された一定長さのカバー筒と、そのカバー筒の外周面へ進退自在に螺合された締付けキャップとから形作り、
上記ヘッドカバーのカバー筒が差し込み套嵌された支持脚を、倒立Ｖ字形に開脚させた上、そのヘッドカバーの締付けキャップを上記継手側の傾斜受け座面へ密着するように締付け操作すれば、その支持脚の開脚状態を固定ロックすることができ、
同じくヘッドカバーの締付けキャップを上記傾斜受け座面から離れるように弛緩させれば、上記支持脚が継手から自由に吊り下がる閉脚状態となるように設定したことを特徴とする水平な管棒材とその支持脚との継手構造。
【請求項２】
継手を半割り体の継手セグメントから縁取り嵌合状態に組み立てると共に、
その両継手セグメントから互いに突き合う対応位置関係として、各々裏向きに突出する補強リブ群により、二等辺三角形の垂直中心線上に少なくとも１個の管棒材受け入れ筒と、底辺の両端部にヘッドカバー用導出口と連通する円弧形ヘッドカバー受け入れ溝の一対とを各々区成し、
ヘッドカバーの対応的な円弧形に造形された回動ヘッドを、そのヘッドカバー受け入れ溝の内部へ一定角度だけ回動できる規制状態に各々嵌め込み収納したことを特徴とする請求項１記載の水平な管棒材とその支持脚との継手構造。
【請求項３】
ヘッドカバーの回動ヘッドとその両継手セグメント側のヘッドカバー受け入れ溝を、互いに対応合致する半円よりも大きな円弧形に造形することにより、その回動ヘッドの回動中心から締付けキャップ用傾斜受け座面までの距離を、その回動ヘッドの回動半径よりも短小寸法に関係設定したことを特徴とする請求項２記載の水平な管棒材とその支持脚との継手構造。
【請求項４】
ヘッドカバーの円弧形に造形された回動ヘッドから、ストッパー片を連続的に垂立させる一方、
その回動ヘッドのストッパー片が受け止められる一定な回動角度規制溝を、両継手セグメントから各々裏向きに突出する補強リブ群により区成したことを特徴とする請求項２記載の水平な管棒材とその支持脚との継手構造。
【考案の詳細な説明】
【技術分野】
【０００１】
本考案は幼児の屋内遊具となるブランコや鉄棒などに有用な水平の管棒材とその支持脚との継手構造に関する。
【背景技術】
【０００２】
下記の特許文献１には子供用ブランコの座席が吊り下がる水平な頂部連結棒（１１ｂ）と、その左右両端部の脚棒（１Ａ）（１Ｂ）とを連結するほぼ二等辺三角形の頂部ジョイント（３４）（３５）が開示されている。
【０００３】
しかも、その脚棒（１Ａ）（１Ｂ）は２本１組づつから成り、そのほぼ倒立Ｖ字形の開脚状態において使用されるようになっている。
【先行技術文献】
【特許文献】
【０００４】
【特許文献１】実用新案登録第３１０１７５７号公報
【考案の概要】
【考案が解決しようとする課題】
【０００５】
ところが、特許文献１の記載では頂部ジョイント（３４）（３５）の具体的な構成が不明であり、脚棒（１Ａ）（１Ｂ）をその開脚状態から閉脚状態へ折りたためる旨の記載はない。その折りたたみ不可能であるならば、不使用時の保管や持ち運びなどの取扱いに困ることとなり、甚だ不便である。
【課題を解決するための手段】
【０００６】
本考案はこのような課題の解決を目的としており、その目的を達成するために、請求項１では基本的な二等辺三角形の輪郭形状をなし、その垂直中心線上に水平な管棒材の端部受け入れ筒を有する合成樹脂製継手と、
【０００７】
２本１組の管棒材用支持脚へ上方から各々差し込み套嵌されることになる合成樹脂製ヘッドカバーの一対とを備え、
【０００８】
上記継手における底辺の両端部を一対のフラットな締付けキャップ用傾斜受け座面として、その継手の各斜辺とほぼ直角に交叉させると共に、その両傾斜受け座面に各々ヘッドカバー用導出口を切り欠く一方、
【０００９】
上記ヘッドカバーの各個を、継手の中空内部へ管棒材と平行な組立ピンによって一定角度だけ回動できるように枢支された回動ヘッドと、その回動ヘッドから上記継手側のヘッドカバー用導出口を通じて外部へ導出された一定長さのカバー筒と、そのカバー筒の外周面へ進退自在に螺合された締付けキャップとから形作り、
【００１０】
上記ヘッドカバーのカバー筒が差し込み套嵌された支持脚を、倒立Ｖ字形に開脚させた上、そのヘッドカバーの締付けキャップを上記継手側の傾斜受け座面へ密着するように締付け操作すれば、その支持脚の開脚状態を固定ロックすることができ、
【００１１】
同じくヘッドカバーの締付けキャップを上記傾斜受け座面から離れるように弛緩させれば、上記支持脚が継手から自由に吊り下がる閉脚状態となるように設定したことを特徴とする。
【００１２】
又、請求項２では継手を半割り体の継手セグメントから縁取り嵌合状態に組み立てると共に、
【００１３】
その両継手セグメントから互いに突き合う対応位置関係として、各々裏向きに突出する補強リブ群により、二等辺三角形の垂直中心線上に少なくとも１個の管棒材受け入れ筒と、底辺の両端部にヘッドカバー用導出口と連通する円弧形ヘッドカバー受け入れ溝の一対とを各々区成し、
【００１４】
ヘッドカバーの対応的な円弧形に造形された回動ヘッドを、そのヘッドカバー受け入れ溝の内部へ一定角度だけ回動できる規制状態に各々嵌め込み収納したことを特徴とする。
【００１５】
請求項３ではヘッドカバーの回動ヘッドとその両継手セグメント側のヘッドカバー受け入れ溝を、互いに対応合致する半円よりも大きな円弧形に造形することにより、その回動ヘッドの回動中心から締付けキャップ用傾斜受け座面までの距離を、その回動ヘッドの回動半径よりも短小寸法に関係設定したことを特徴とする。
【００１６】
更に、請求項４ではヘッドカバーの円弧形に造形された回動ヘッドから、ストッパー片を連続的に垂立させる一方、
【００１７】
その回動ヘッドのストッパー片が受け止められる一定な回動角度規制溝を、両継手セグメントから各々裏向きに突出する補強リブ群により区成したことを特徴とする。
【考案の効果】
【００１８】
請求項１の上記構成によれば、水平な管棒材（ハンガーバー）の支持脚を倒立Ｖ字形に開脚させた固定ロック状態として、安定良く・安全に使用できることは勿論、その支持脚の上端部に冠したヘッドカバーの締付けキャップを緩め操作することにより、上記支持脚をほぼ平行に揃った閉脚状態に折りたたむこともできるため、不使用時の保管や持ち運びなどの取扱い上、著しく便利であって、冒頭に述べた従来技術の課題が改良される。
【００１９】
又、請求項２の構成を採用するならば、半割り体の継手セグメントから継手を組み立てることと、その継手側のヘッドカバー受け入れ溝内にヘッドカバーの回動ヘッドを嵌め込み収納することを、大変効率良く便利に行えるのであり、組立状態の安定性と量産効果の達成に役立つ。
【００２０】
特に、請求項３の構成を採用するならば、水平な管棒材（ハンガーバー）の支持脚が使用中の振動やショックなどを受けて、そのヘッドカバーにおける締付けキャップの万一弛緩するも、上記支持脚が継手から垂直に吊り下がることとなる閉脚方向へ回動するおそれはなく、安全性に著しく優れる。
【００２１】
更に、請求項４の構成を採用するならば、支持脚のヘッドカバーにおける回動ヘッドの一定な回動角度規制溝を、継手セグメントから裏向きに突出する補強リブ群によって、その継手の中空内部へ合理的に区画形成することができ、上記回動ヘッドのストッパー片を確実に受け止める機能と、量産効果の向上に寄与する。
【図面の簡単な説明】
【００２２】
【図１】本考案を幼児の屋内用ブランコに適用した実施形態の斜面図である。
【図２】図１の側面図であって、開脚状態を示している。
【図３】図２の閉脚状態を示す側面図である。
【図４】図２の部分拡大図である。
【図５】図３の部分拡大図である。
【図６】図４の６−６線に沿う拡大断面図である。
【図７】図６の７−７線断面図である。
【図８】図７の８−８線に沿う拡大断面図である。
【図９】継手の内側継手セグメントを抽出して示す正面図である。
【図１０】図９の背面図である。
【図１１】図９の平面図である。
【図１２】図９の底面図である。
【図１３】図９の側面図である。
【図１４】図１０の１４−１４線断面図である。
【図１５】図１０の１５−１５線断面図である。
【図１６】図１０の１６−１６線断面図である。
【図１７】継手の外側継手セグメントを抽出して示す正面図である。
【図１８】図１７の背面図である。
【図１９】図１７の平面図である。
【図２０】図１７の底面図である。
【図２１】図１７の側面図である。
【図２２】図１８の２２−２２線断面図である。
【図２３】図１８の２３−２３線断面図である。
【図２４】図１８の２４−２４線断面図である。
【図２５】支持脚のヘッドカバーを抽出して示す正面図である。
【図２６】図２５の側面図である。
【図２７】図２５の平面図である。
【図２８】図２５の底面図である。
【図２９】図２５の２９−２９線断面図である。
【図３０】図２６の３０−３０線断面図である。
【図３１】ヘッドカバーの締付けキャップを抽出して示す正面図である。
【図３２】図３１の平面図である。
【図３３】図３１の底面図である。
【図３４】図３１の３４−３４線断面図である。
【考案を実施するための形態】
【００２３】
以下、図面に基いて本考案の具体的構成を詳述すると、図１〜８は幼児の屋内用ブランコ（Ｓ）に適用した本考案の実施形態を示しており、（１０）は水平な管棒材（鋼管）としてのハンガーバーであって、そのハンガーバー（１０）へ回動自在に通し込まれた連結鞘（１１）から、左右一対のハンガーアーム（１２）を介して、幼児の腰掛ける椅子型の座席（１３）が前後方向への揺動自在に吊り下げられている。
【００２４】
（１４ｆ）（１４ｒ）は上記水平なハンガーバー（管棒材）（１０）の両端部を支持する左右一対の支持脚であって、２本１組づつの管棒材（鋼管）から成り、その２本１組づつが倒立Ｖ字形に開脚した状態のもとで安定良く使用される一方、ほぼ平行に揃った閉脚状態のもとで保管や持ち運びなどの取扱いを便利良く行えるようになっている。
【００２５】
（Ｊ）はこのような支持脚（１４ｆ）（１４ｒ）の開閉又は折りたたみを可能とする左右一対の継手であって、ポリアセタール樹脂（好ましくは商品名「ジュラコン」）やポリカーボネート樹脂、ガラス繊維補強樹脂（ＧＦＲＰ）、ナイロン樹脂、ＡＢＳ樹脂、その他の高強度な合成樹脂材から、各頂点の円弧面をなす概略的な又は基本的な二等辺三角形（図例では正三角形）の輪郭形状に造形されている。
【００２６】
上記合成樹脂製継手（Ｊ）の左右一対は互いに同一構成であるため、その何れか一方だけを抽出した図９〜２４に基いて説明すると、その継手（Ｊ）の各個は半割り体をなす内外一対の継手セグメント（Ｊｉ）（Ｊｏ）から、あたかも最中菓子のような縁取り嵌合状態又は合掌状態に組み立てられている。
【００２７】
即ち、図示の実施形態では両継手セグメント（Ｊｉ）（Ｊｏ）の何れか一方（図例では外側継手セグメント）から裏向きに突設された縁取り嵌合凸条（１５）と、残る他方（図例では内側継手セグメント）に対応形成された縁取り嵌合凹条（１６）とが、図６のように嵌合されるのであり、支持脚（１４ｆ）（１４ｒ）における後述するヘッドカバーの回動ヘッドが、その両継手セグメント（Ｊｉ）（Ｊｏ）の中空内部に挟み込まれることとなる。
【００２８】
その嵌合された組立状態では図４〜７のように、上記二等辺三角形（図例では正三角形）の輪郭形状に造形されている継手（Ｊ）の両斜辺が円弧凸曲面をなすに比して、底辺はその下向き円弧状に張り出す中間部分も含む全体的なフラット面をなすが、そのフラット面の前後両端部分だけは各斜辺とほぼ直角（α）に交叉する締付けキャップ用傾斜受け座面（１７ｆ）（１７ｒ）として、支持脚（１４ｆ）（１４ｒ）における後述のヘッドカバーを固定ロックする締付けキャップと密着し得るように形成されている。
【００２９】
（１８）は両継手セグメント（Ｊｉ）（Ｊｏ）から互いに突き合う対応位置関係として、各々裏向きに突設された補強リブ群であり、縦（垂直）直線リブ（１８ｙ）や横（水平）直線リブ（１８ｘ）、継手（Ｊ）の両斜辺とほぼ平行な傾斜直線リブ（１８ｚ）、円弧曲線リブ（１８ｃ）などの各種が、図７や図１０、１８のように交錯している。
【００３０】
その場合、外側継手セグメント（Ｊｏ）の垂直中心線上に沿って延在する縦直線リブ（１８ｙ）が１本（１列）であるに比し、内側継手セグメント（Ｊｉ）の垂直中心線上に沿って延在する縦直線リブ（１８ｙ）は平行な２本（２列）として、その向かい合う縦（垂直）溝（１９）の内部へ上方から水平なハンガーバー（管棒材）（１０）の抜け止め用串刺しネジ杆（２０）を差し込めるようになっている。（２１）はその串刺しネジ杆（２０）と螺合締結される固定ナットであり、上記縦溝（１９）の下端部付近に埋設されている。
【００３１】
又、（２２）は両継手セグメント（Ｊｉ）（Ｊｏ）からやはり互いに突き合う対応位置関係として、各々裏向きに突設された複数（図例では合計５個）の円筒状軸受ダボであり、前後の対称な配置に点在分布している。
【００３２】
外側継手セグメント（Ｊｏ）の縁取り嵌合凸条（１５）は上記補強リブ群（１８）や軸受ダボ（２２）よりも背高く裏向きに突出しており、逆に内側継手セグメント（Ｊｉ）の縁取り嵌合凹条（１６）は同じく補強リブ群（１８）や軸受ダボ（２２）よりも低く陥没した状態にある。
【００３３】
そして、内側継手セグメント（Ｊｉ）の軸受ボス（２２）から差し込んだタッピッグネジ（組立ビス）（２３）を、図６、７に示す如く、外側継手セグメント（Ｊｏ）の対応位置する軸受ボス（２２）へねじ込むことにより、両継手セグメント（Ｊｉ）（Ｊｏ）の嵌合状態を固定維持し得るようになっている。そのタッピングネジ（組立ビス）（２３）の頭部は内側継手セグメント（Ｊｉ）における軸受ボス（２２）内の段差部分（図示省略）に係止し、同じくタッピッグネジ（組立ビス）（２３）のネジ軸部は外側継手セグメント（Ｊｏ）の軸受ボス（２２）に埋没し、外界へ露出することはない。
【００３４】
（２４）は両継手セグメント（Ｊｉ）（Ｊｏ）の垂直中心線上に位置しつつ、しかもその補強リブ群（１８）における縦直線リブ（１８ｙ）と横直線リブ（１８ｘ）との直交部分に区成された上下一対のハンガーバー受け入れ筒であり、上記水平なハンガーバー（管棒材）（１０）の端部を選択的に受け入れる。
【００３５】
つまり、複数のハンガーバー受け入れ筒（２４）を選択して、ハンガーバー（１０）を抜き差し自在に差し込むことにより、これから吊り下がる座席（１３）の設置高さを希望や幼児の体格などに応じて、変更・調整することができるようになっているのである。但し、その個数は少なくとも１個あれば足りる。
【００３６】
その場合、内側継手セグメント（Ｊｉ）のハンガーバー受け入れ筒（２４）が貫通開口しているに比して、外側継手セグメント（Ｊｏ）のハンガーバー受け入れ筒（２４）は上記ハンガーバー（１０）を露出させない盲状態にあり、その内奥部分（溝底部分）にハンガーバー（１０）の廻り止め片（２５）が設置されている。
【００３７】
（２６ｆ）（２６ｒ）は両継手セグメント（Ｊｉ）（Ｊｏ）の上記補強リブ群（１８）における円弧曲線リブ（１８ｃ）同士の向かい合う相互間に区成された前後一対のヘッドカバー受け入れ溝であって、図１０、１８のような一定半径（Ｒ）での回動軌跡を描く半円よりも大きい円弧形に囲まれているが、上記底辺のフラットな締付けキャップ用傾斜受け座面（１７ｆ）（１７ｒ）に向かっては切り欠き開口されている。その斜め下向きの切り欠き開口部分は上記支持脚（１４ｆ）（１４ｒ）における後述するヘッドカバー（Ｃ）の導出口（２７ｆ）（２７ｒ）となる。ヘッドカバー受け入れ溝（２６ｆ）（２６ｒ）の一部分が斜め下向きのヘッドカバー導出口（２７ｆ）（２７ｒ）として連通開口しているわけである。
【００３８】
又、（２８ｆ）（２８ｒ）は上記一定半径（Ｒ）での回動中心となる位置に貫通形成された組立ピン受け入れ孔であり、ここからフラットな傾斜受け座面（１７ｆ）（１７ｒ）までの距離（Ｌ）は、上記一定の半径（Ｒ）よりも短小に寸法化されている。
【００３９】
（２９ｆ）（２９ｒ）は上記ヘッドカバー受け入れ溝（２６ｆ）（２６ｒ）を形作る円弧形の上縁部に連通する回動角度規制溝であって、そのヘッドカバー受け入れ溝（２６ｆ）（２６ｒ）の円弧曲線リブ（１８ｃ）に連続する上記傾斜直線リブ（１８ｚ）と縦（垂直）直線リブ（１８ｙ）との向かい合う相互間に、一定の交叉角度（β）（図例では約３０度）として画定されており、後述するヘッドカバー（Ｃ）のストッパー片をその一定な角度（β）の範囲だけ回動できるように受け止める。
【００４０】
先に一言した支持脚（１４ｆ）（１４ｒ）のヘッドカバー（Ｃ）は、これも継手（Ｊ）と同じ高強度な合成樹脂製品であって、図２５〜３０に抽出して示す如く、両継手セグメント（Ｊｉ）（Ｊｏ）のヘッドカバー受け入れ溝（２６ｆ）（２６ｒ）と対応合致する大きさ・厚み・輪郭形状（半円よりも大きな円弧形）の回動ヘッド（３０）と、これから下向き連続的に張り出す一定長さのカバー筒（３１）と、そのカバー筒（３１）の垂直中心線（長手中心線）上に位置しつつ、同じく回動ヘッド（３０）から上向き連続的に垂立するストッパー片（３２）とを備えている。
【００４１】
しかも、そのカバー筒（３１）の約上半部には後述の締付けキャップと螺合する雄ネジ（３３）が刻成されている。（３４）は上記回動ヘッド（３０）の回動中心孔であり、両継手セグメント（Ｊｉ）（Ｊｏ）側の上記組立ピン受け入れ孔（２８ｆ）（２８ｒ）と合致連通する。（３５）はその回動ヘッド（３０）の回動中心孔（３４）と平行な固定ピン受け入れ孔であり、上記カバー筒（３１）の下端部付近に開口形成されている。
【００４２】
そして、このようなヘッドカバー（Ｃ）のカバー筒（３１）は上記支持脚（１４ｆ）（１４ｒ）へ、図７、８のように上方から各々差し込み套嵌された上、その固定ピン受け入れ孔（３５）を貫通する水平な固定ピン（リベット）（３６）によって、その支持脚（１４ｆ）（１４ｒ）へ取り付け固定されることになる。
【００４３】
又、同じくヘッドカバー（Ｃ）の回動ヘッド（３０）は上記継手セグメント（Ｊｉ）（Ｊｏ）のヘッドカバー受け入れ溝（２６ｆ）（２６ｒ）へ各々嵌め込み収納された上、その回動中心孔（３４）と組立ピン受け入れ孔（２８ｆ）（２８ｒ）を貫通する水平な組立ピン（リベット）（３７）によって、図７、８のような回動自在の枢支状態に組み立てられることとなり、その場合に回動ヘッド（３０）から垂立しているストッパー片（３２）が、両継手セグメント（Ｊｉ）（Ｊｏ）側の回動角度規制溝（２９ｆ）（２９ｒ）に受け入れられるのである。
【００４４】
尚、ヘッドカバー（Ｃ）の回動ヘッド（３０）を回動自在に枢支している組立ピン（リベット）（３７）が、上記ハンガーバー（管棒材）（１０）と平行に延在していることは言うまでもない。
【００４５】
そのため、ヘッドカバー（Ｃ）を図７のように、その回動ヘッド（３０）から垂立しているストッパー片（３２）が、両継手セグメント（Ｊｉ）（Ｊｏ）側の回動角度規制溝（２９ｆ）（２９ｒ）を画定している傾斜直線リブ（１８ｚ）に受け止められるまでの一定角度（β）（先に例示した約３０度）だけ一方向へ回動すると、そのヘッドカバー（Ｃ）を冠した支持脚（１４ｆ）（１４ｒ）の前後一対は、図２、４のような倒立Ｖ字形に開脚する結果となり、安定良く使用できるのである。
【００４６】
他方、同じくヘッドカバー（Ｃ）を図７に併せて示す如く、その回動ヘッド（３０）のストッパー片（３２）が、両継手セグメント（Ｊｉ）（Ｊｏ）側の回動角度規制溝（２９ｆ）（２９ｒ）を区成している縦（垂直）直線リブ（１８ｙ）に受け止められるまでの一定角度（β）（先に例示した約３０度）だけ逆方向へ回動すると、そのヘッドカバー（Ｃ）を冠した支持脚（１４ｆ）（１４ｒ）の前後一対は、図３、５のようなほぼ水平の揃った垂直状態に閉脚することとなり、扁平な折りたたみ状態を得られるのである。
【００４７】
上記ヘッドカバー（Ｃ）の締付けキャップ（Ｆ）は図３１〜３４に抽出して示す如く、そのヘッドカバー（Ｃ）と同じ高強度な合成樹脂材から好ましくは自身の開口上端縁部（３８）へ行く程径大となるほぼ截頭円錐形に造形されており、その内周面に刻成されている雌ネジ（３９）を、上記ヘッドカバー（Ｃ）におけるカバー筒（３１）の雄ネジ（３３）と螺合締結するようになっている。（４０）はその締付けキャップ（Ｆ）の外周面に付与された回動操作手の滑り止め用凹凸である。
【００４８】
そのため、前後一対の支持脚（１４ｆ）（１４ｒ）を図２、４のような倒立Ｖ字形に開脚した使用状態において、そのヘッドカバー（Ｃ）のカバー筒（３１）に締結されている締付けキャップ（Ｆ）を締付け操作して、上方へ螺進させて行けば、その締付けキャップ（Ｆ）の開口上端縁部（３８）がやがて両継手セグメント（Ｊｉ）（Ｊｏ）におけるフラットな傾斜受け座面（１７ｆ）（１７ｒ）へ密着することとなり、その傾斜受け座面（１７ｆ）（１７ｒ）のヘッドカバー導出口（２７ｆ）（２７ｒ）が下方から被覆化粧されると共に、上記支持脚（１４ｆ）（１４ｒ）の開脚状態が固定ロックされるのである。
【００４９】
そして、このような支持脚（１４ｆ）（１４ｒ）の開脚した固定ロック状態から、上記締付けキャップ（Ｆ）を弛緩操作して、下方へ螺退させて行けば、その締付けキャップ（Ｆ）の開口上端縁部（３８）が両継手セグメント（Ｊｉ）（Ｊｏ）側のフラットな傾斜受け座面（１７ｆ）（１７ｒ）から離れるため、上記支持脚（１４ｆ）（１４ｒ）は図３、５のように継手（Ｊ）から言わば自由に吊り下がる垂直状態となり、その前後一対の扁平な閉脚状態に折りたたむことができるのである。
【００５０】
このような支持脚（１４ｆ）（１４ｒ）の閉脚した折りたたみ状態においても、両継手セグメント（Ｊｉ）（Ｊｏ）側のヘッドカバー受け入れ溝（２６ｆ）（２６ｒ）にはこれと対応合致する大きさ・厚み・輪郭形状を備えたヘッドカバー（Ｃ）の回動ヘッド（３０）が、嵌め込み収納されているため、その両継手セグメント（Ｊｉ）（Ｊｏ）側の締付けキャップ用傾斜受け座面（１７ｆ）（１７ｒ）に切り欠かれているヘッドカバー導出口（２７ｆ）（２７ｒ）が、見苦しく露呈して、ここへ支持脚開閉用の操作手を詰めて負傷したり、又ここから上記ヘッドカバー受け入れ溝（２６ｆ）（２６ｒ）の内部へ塵埃などの異物が侵入したりするおそれはない。
【００５１】
尚、図示の実施形態では本考案を幼児の屋内用ブランコ（Ｓ）に適用しているが、所謂鉄棒やその他の屋内遊具、更には物干し竿やその他の吊り下げ用具に適用することも可能である。（４１）は上記２本１組づつの管棒材から成る支持脚（１４ｆ）（１４ｒ）の下端部同士に枢支連結された前後一対の接地座（鋼管）であり、上記ハンガーバー（１０）と平行に延在している。（４２）はその接地座（４１）同士を連繋するベルトである。
【００５２】
図１〜８は上記屋内用ブランコ（Ｓ）の組立状態を示しているが、その使用に当っては２本１組づつの管棒材（１３）から成る左右一対の支持脚（１４ｆ）（１４ｒ）を、各々前後方向へ倒立Ｖ字形に開脚させて、その継手（Ｊ）から露出しているヘッドカバー（Ｃ）の締付けキャップ（Ｆ）を締付け操作することにより、その締付けキャップ（Ｆ）の開口上端縁部（３８）を継手（Ｊ）側のフラットな傾斜受け座面（１７ｆ）（１７ｒ）へ、その面接触状態に密着させるのである。
【００５３】
そうすれば、その強い圧力によって支持脚（１４ｆ）（１４ｒ）の開脚状態が、図１、２、４のように固定ロックされるため、ブランコ（Ｓ）としての使用を安定良く行える。
【００５４】
その使用中の振動や衝撃などを受けて、万一上記ヘッドカバー（Ｃ）の締付けキャップ（Ｆ）が若干弛緩したとしても、そのヘッドカバー（Ｃ）における回動ヘッド（３０）の回動中心から上記フラットな締付けキャップ用傾斜受け座面（１７ｆ）（１７ｒ）までの距離（Ｌ）は、その回動ヘッド（３０）の一定な回動半径（Ｒ）よりも短小寸法に関係設定されているため、常時外方への突っ張り力（拡開力）が支持脚（１４ｆ）（１４ｒ）に作用することとも相俟って、上記支持脚（１４ｆ）（１４ｒ）が垂直に吊り下がることとなる閉脚方向（継手における底辺の中間方向）へ回動するおそれはなく、安全性に優れる。
【００５５】
そして、ブランコ（Ｓ）の持ち運びや保管などを行う場合には、上記支持脚（１４ｆ）（１４ｒ）におけるヘッドカバー（Ｃ）の固定ロック状態にある締付けキャップ（Ｆ）を弛緩させて、これを継手（Ｊ）側の上記締付けキャップ用傾斜受け座面（１７ｆ）（１７ｒ）から下方へ引き離せば、その継手（Ｊ）から支持脚（１４ｆ）（１４ｒ）が図３、５のように、言わば自由に吊り下がる平行な垂直状態に閉脚することとなるため、そのままでの扁平な折りたたみ状態に保てば良い。
【００５６】
尚、図示の実施形態では半割り体をなす継手セグメント（Ｊｉ）（Ｊｏ）の内外一対から、複数のタッピングネジ（組立ビス）（２３）並びに組立ピン（３７）を介して、縁取り嵌合状態に組み立て固定した継手（Ｊ）を説明しているが、上記支持脚（１４ｆ）（１４ｒ）のヘッドカバー（Ｃ）を形作っている回動ヘッド（３０）が、継手（Ｊ）の中空内部において回動作用し得る一方、同じくヘッドカバー（Ｃ）のカバー筒（３１）がその継手（Ｊ）から外部へ導出され得る構成であるならば、継手（Ｊ）自身を所謂ワンピースとして、上記合成樹脂材から一体成形してもさしつかえない。
【符号の説明】
【００５７】
（１０）・ハンガーバー（管棒材）
（１１）・連結鞘
（１２）・ハンガーアーム
（１３）・座席
（１４ｆ）（１４ｒ）・支持脚
（１５）・縁取り嵌合凸条
（１６）・縁取り嵌合凹条
（１７ｆ）（１７ｒ）・傾斜受け座面
（１８）・補強リブ群
（１８ｃ）・円弧曲線リブ
（１８ｘ）・横直線リブ
（１８ｙ）・縦直線リブ
（１８ｚ）・傾斜直線リブ
（１９）・縦溝
（２０）・ネジ杆
（２１）・固定ナット
（２２）・軸受ダボ
（２３）・タッピングネジ
（２４）・ハンガーバー受け入れ筒
（２５）・廻り止め片
（２６ｆ）（２６ｒ）・ヘッドカバー受け入れ溝
（２７ｆ）（２７ｒ）・ヘッドカバー導出口
（２８ｆ）（２８ｒ）・組立ピン受け入れ孔
（２９ｆ）（２９ｒ）・回動角度規制溝
（３０）・回動ヘッド
（３１）・カバー筒
（３２）・ストッパー片
（３３）・雄ネジ
（３４）・回動中心孔
（３５）・固定ピン受け入れ孔
（３６）・固定ピン
（３７）・組立ピン
（３８）・開口上端縁部
（３９）・雌ネジ
（４０）・凹凸
（４１）・接地座
（４２）・ベルト
（Ｃ）・ヘッドカバー
（Ｆ）・締付けキャップ
（Ｊ）・継手
（Ｊｉ）・内側継手セグメント
（Ｊｏ）・外側継手セグメント
（Ｓ）・ブランコ
（Ｒ）・半径
（Ｌ）・距離
【図１】
0003181216.tif 000003
【図２】
0003181216.tif 000004
【図３】
0003181216.tif 000005
【図４】
0003181216.tif 000006
【図５】
0003181216.tif 000007
【図６】
0003181216.tif 000008
【図７】
0003181216.tif 000009
【図８】
0003181216.tif 000010
【図９】
0003181216.tif 000011
【図１０】
0003181216.tif 000012
【図１１】
0003181216.tif 000013
【図１２】
0003181216.tif 000014
【図１３】
0003181216.tif 000015
【図１４】
0003181216.tif 000016
【図１５】
0003181216.tif 000017
【図１６】
0003181216.tif 000018
【図１７】
0003181216.tif 000019
【図１８】
0003181216.tif 000020
【図１９】
0003181216.tif 000021
【図２０】
0003181216.tif 000022
【図２１】
0003181216.tif 000023
【図２２】
0003181216.tif 000024
【図２３】
0003181216.tif 000025
【図２４】
0003181216.tif 000026
【図２５】
0003181216.tif 000027
【図２６】
0003181216.tif 000028
【図２７】
0003181216.tif 000029
【図２８】
0003181216.tif 000030
【図２９】
0003181216.tif 000031
【図３０】
0003181216.tif 000032
【図３１】
0003181216.tif 000033
【図３２】
0003181216.tif 000034
【図３３】
0003181216.tif 000035
【図３４】
0003181216.tif 000036